(57)【要約】【課題】輪径調節の操作性が良く、装飾性を有しさせることも可能とするとともに組み立てが容易であり、修理対応をも容易とする低コストの調節具を提供する。【解決手段】紐状体を挿通可能とした外体１と、内体１０と、弾性体２０との構成にて、前記外体１は、体内に前記内体１０を収納可能として、接続部２と、一対の挿入孔３、４とを有して、前記接続部２は、当該外体１の外周面に設け、前記挿入孔３、４は、当該外体１の直径方向に対向した側壁に対向に設けて形成、前記内体１０は、体内に前記弾性体２０を収納可能として、一対の挿通孔１１、１２を有して、該挿通孔は、当該内体１０の直径方向に対向した側壁に対向に設けて形成、前記弾性体２０は、前記内体１０内に収納され、貫通した孔２１を設けた弾性ゴムからなり、前記貫通した孔は、前記内体１０の挿通孔１１、１２と前記外体の挿入孔３、４に通じさせて配置してなるものである。【選択図】図５
2007117518.tif 000002
【特許請求の範囲】
【請求項１】
外体と、該外体内に収納可能な内体と、該内体内に収納可能な弾性体との構成にて、紐状体を挿通して環状装身具の輪径を変えられる調節具であって、
前記外体は、体内に前記内体を収納可能として、接続部と、一対の挿入孔とを有して、前記接続部は、当該外体の外周面に設け、前記挿入孔は、当該外体の直径方向に対向した側壁に対向に設けて形成、
前記内体は、体内に前記弾性体を収納可能として、一対の挿通孔を有して、該挿通孔は、当該内体の直径方向に対向した側壁に対向に設けて形成、
前記弾性体は、前記内体内に収納され、貫通した孔を設けた弾性ゴムからなり、前記貫通した孔は、前記内体の挿通孔と前記外体の挿入孔に通じさせて配置し、以上の構成からなることを特徴とする調節具。
【請求項２】
前記外体を取り換え可能としたことを特徴とする請求項１記載の調節具。
【請求項３】
前記外体表面に装飾を施すことを可能としたことを特徴とする請求項１又は請求項２に記載の調節具。
【請求項４】
調節具は、請求項１乃至３の何れかに記載されたものであり、前記紐状体は、前記調節具を構成する外体と、該外体内に配置した内体と、該内体内に配置した弾性体とを貫通し、該弾性体によって弾性的に保持され、一端が前記接続部に連結され、他端に抜け止め部材が連結されていることを特徴とする環状装身具。
【請求項５】
前記紐状体の一端から前記調節具との間の当該紐状体によって形成される輪の途中を切断し、該切断した一端にクラスプを、もう一端に連結プレートを連結して構成させることを特徴とする請求項４に記載の環状装身具。
【請求項６】
前記紐状体の一端から前記調節具との間の当該紐状体によって形成される輪の途中を切断し、該切断した一端を体内に弾性体を有してクラスプを連結した第２調節具に貫通させるとともに抜け防止プレートを連結、もう一端に連結プレートを連結して構成させることを特徴とする請求項４に記載の環状装身具。
【発明の詳細な説明】
【技術分野】
【０００１】
本発明は、環状装身具であるネックレス、ブレスレット等の輪径の大きさを自由に変えられる調節具と該調節具を用いた環状装身具に関する。
【背景技術】
【０００２】
従来、この種の調節具は、ネックレスや、ブレスレット等の環状装身具において、チェーン等の紐状体を自由に任意の長さに調整するための手段として用いられ、種種機構の調節具がある。
【０００３】
その中で、外殻体と、弾性体とを含む止め具であって、前記外殻体は、孔と、中空部とを有し、前記孔は、前記外殻体の外部から前記中空部へ通じており、前記中空部は、内壁面が球面状であり、前記弾性体は、通孔部を有し、前記中空部に内蔵されており、前記弾性体は、外周が円形状であって、その外周面が前記中空部の前記球面状の内壁面に面で圧接し、前記外周面と前記球面状の内壁面との前記圧接によってのみ前記内壁面によって支持されており、前記通孔部は前記孔に通じている止め具がある（例えば、特許文献１参照。）。
【０００４】
また、ゴム状弾性部材の少なくとも一部を外側から覆う外装部材を含む止め具であって、
前記外装部材が、少なくとも２個の外装要素により形成され、該外装要素を集合させるとともに、それらの内部に前記ゴム状弾性部材を収容して一体とすることが可能な機構の止め具がある（例えば、特許文献２参照。）。
【０００５】
また、互いに反対側に配置され且つ部分的に相互に貫入する２つの半殻体を備え、該半殻体が、該半殻体の各々の側壁に、少なくとも一対の開口部に配置される釦を形成し、前記開口部が同軸状で且つ直径方向に対向し、前記半殻体が、一方の半殻体の開口部が他方の半殻体の開口部と合わさり、これにより、糸状体すなわち鎖がその間を通るのを許容するような仕方にて相互に取り付けられ、弾性要素が前記半殻体の内側に配置され、前記弾性要素が予め圧縮した状態で取り付けられ、前記２つの半殻体を外方に向けて押し、もって、半殻体が互いに分離する機構の調節具とした装置がある（例えば、特許文献３参照。）。
【０００６】
しかし、特許文献１に示す止め具を頻繁に摺動させて使用した場合、紐部材と弾性体であるゴム、シリコンゴム等が擦れにより、破損した場合に中空の殻体であるために前記弾性体であるゴム、シリコンゴム等の出し入れが難しく修理が困難であるとともに表面に宝石等を用いての装飾を施すことができない止め具である。
【０００７】
また、特許文献２に示すものは、２個の外装要素により集合させて一体に組み合わせて中空の殻体が形成されるが、結果として、特許文献１の中空の殻体を形成し、特許文献１との違いとしては、分離可能とする機構であるが製造コストが高くなる問題がある。
【０００８】
また、特許文献３に示すものは、弾性要素が半殻体の内側に配置され、前記弾性要素が予め圧縮した状態で取り付けられ、前記２つの半殻体を外方に向けて押し広げている機構であるため、鎖が折れ曲がり易く、用いられる鎖は限定される欠点が有る。
【０００９】
【特許文献１】特許第３３６７６５１号公報
【特許文献２】特許第３１７８５２３号公報
【特許文献３】特開２００１−２３１６１５号公報
【発明の開示】
【発明が解決しようとする課題】
【００１０】
本発明は上記を鑑み解決しようとする問題点は、輪径調節の操作性が良く、装飾性を有しさせることも可能とするとともに組み立てが容易であり、修理対応をも容易とする低コストの調節具及びそれを用いた環状装身具の提供を目的とするものである。
【課題を解決するための手段】
【００１１】
前記目的を達成するために、請求項１に係る発明の紐状体を挿通して環状装身具の輪径を変えられる調節具は、外体と、該外体内に収納可能な内体と、該内体内に収納可能な弾性体との構成にて、
前記外体は、体内に前記内体を収納可能として、接続部と、一対の挿入孔とを有して、前記接続部は、当該外体の外周面に設け、前記挿入孔は、当該外体の直径方向に対向した側壁に対向に設けて形成、
前記内体は、体内に前記弾性体を収納可能として、一対の挿通孔を有して、該挿通孔は、当該内体の直径方向に対向した側壁に対向に設けて形成、
前記弾性体は、前記内体内に収納され、貫通した孔を設けた弾性ゴムからなり、前記貫通した孔は、前記内体の挿通孔と前記外体の挿入孔に通じさせて配置してなるものである。
【００１２】
また、請求項２に係る発明は、前記調節具において、前記外体を取り換え可能とするものである。
【００１３】
また、請求項３に係る発明は、請求項１又は請求項２記載の調節具において、前記外体表面に装飾を施すことを可能とするものである。
【００１４】
また、請求項４に係る発明は、請求項１乃至３の何れかに記載された調節具を用いた環状装身具であって、紐状体は、前記調節具を構成する外体と、該外体内に配置した内体と、該内体内に配置した弾性体とを貫通し、該弾性体によって弾性的に保持され、一端が前記接続部に連結され、他端に抜け止め部材を連結させてなるものである。
【００１５】
また、請求項５に係る発明は、前記環状装身具において、前記紐状体の一端から前記調節具との間の当該紐状体によって形成される輪の途中を切断し、該切断した一端にクラスプを、もう一端に連結プレートを連結して構成させるものである。
【００１６】
また、請求項６に係る発明は、請求項４記載の環状装身具において、前記紐状体の一端から前記調節具との間の当該紐状対によって形成される輪の途中を切断し、該切断した一端を体内に弾性体を有してクラスプを連結した第２調節具に貫通させるとともに抜け防止プレートを連結、もう一端に連結プレートを連結して構成させるものである。
【発明の効果】
【００１７】
請求項１に係る発明の調節具は、紐状体を挿通可能とした外体と、内体と、弾性体との構成にて形成する機構としたことにより、組み立てが容易であるために低コストでの製造が可能となり、長年の使用に対しても弾性体が破損した時の交換等の修理対応をも容易とすることができた。
【００１８】
また、請求項２に係る発明のような前記調節具において、前記外体を取り換え可能としたことにより、デザインの自由度が広がり、趣味性を持ち合わせた操作性の良い調節具となった。
【００１９】
また、請求項３に係る発明のような外体表面に宝石等を用いた装飾を施すことを可能としたことにより、装飾性を有しながら環状装身具の輪径の大きさを自由に変えられる調節具となった。
【００２０】
また、請求項４に係る発明の環状装身具は、輪形を形成させるために用いた紐状体は、調節具を構成する外体と、該外体内に配置した内体と、該内体内に配置した弾性体とを貫通し、該弾性体によって弾性的に保持され、一端が前記接続部に連結され、他端に抜け止め部材を連結させてなる構成としたことにより、前記弾性体の貫通した孔に於ける前記紐状体の弾性圧迫が均一に保持され、装着時でも、当該調節具はスムーズな移動にて輪径の大きさを即座に変えられるとともに調節具と抜け止め部を隣接させペンダントとして、また、調節具を起点としたＹ字状の環状装身具として使用ができる。
【００２１】
また、請求項５に係る発明の環状装身具は、前記環状装身具において、紐状体によって形成される輪の途中を切断した一端にクラスプを、もう一端に連結プレートを連結することにより、普通寸法のネックレス感覚にて身体への装着が容易となった。
【００２２】
また、請求項６に係る発明の環状装身具は、請求項４に記載の環状装身具において、紐状体によって形成される輪の途中を切断した一端を体内に弾性体を有してクラスプを連結した第２調節具に貫通させるとともに抜け防止プレートを連結、もう一端に連結プレートを連結することにより、調節具と第２調節具の２ヵ所の調節にて装着状態を容易にペンダント状態またはY字状態にすることができる。
【発明を実施するための最良の形態】
【００２３】
以下、本発明の目的である輪径調節の操作性が良く、組み立てが容易であり、装飾性をも有しさせることを可能とする実施形態は、図面を用いて詳細に説明する。
【００２４】
図１は、本発明の請求項１と請求項２に係わる調節具３０を構成する部材図であり、（ａ）は、外体１を示し、（ｂ）は、内体１０を示し、（ｃ）は、弾性体２０を示し、（ｄ）は、ハート形状とした外体１ａを示し、（ｅ）は、紐状体４０を示す。
【００２５】
（ａ）の外体１は、開口部５より体内に内体１０を収納できるとともに接続部２と、一対の挿入孔３と４を有して、接続部２は、外周面に環を用いて設け、挿入孔３と４は、外体１の直径方向に対向（開口部５に対して直下）した側壁６と６ａに対向に設けて形成した。
【００２６】
（ｂ）の内体１０は、開口部１３より体内に弾性体２０を収納可能として、一対の挿通孔１１と１２を有して、挿通孔１１と１２は、内体１０の直径方向に対向（開口部１３に対して直下）した側壁１４と、１４ａ（符号省略）に対向に設けて形成した。
【００２７】
（ｃ）の弾性体２０は、貫通した孔２１を設けた弾性ゴムからなり、調節具３０の体内に収納された場合の貫通した孔２１は、紐状体４０の径よりも小さな径として、内体１０の挿通孔１１と１２及び外体１の挿入孔３と４に通じるように設けて形成した。
【００２８】
（ｄ）のハート形状とした外体１ａは、請求項２に係わるものであり、（ａ）の四角形の外体１をハート形状に変えたものであり、開口部５より体内に内体１０を収納できるとともに接続部２と、一対の挿入孔３（符号省略）と４を有して、接続部２は、外周面に環を用いて設け、挿入孔３（符号省略）と４は、外体１ａの直径方向に対向（開口部５に対して直下）した側壁に対向に設けて形成した。
【００２９】
（ｅ）の紐状体４０は、両端に調節具３０及びその他の部材と接続するための環４１と４１ａを設けて形成した。
【００３０】
図２〜５は、図１に示した部材（ａ）（ｂ）（ｃ）を用いて構成した調節具３０の実施形態を正面図、右側面図、平面図、Ａ−Ａ線断面図で示したものであり、内体１０内に弾性体２０を配置した後、外体１内に弾性体２０を有する内体１０を配置した状態を示したものである。
【００３１】
図６は、本発明の請求項４に係わる環状装身具７０の紐状体４０の一部を切り欠いて示し、調節具３０は、背面の開口部１０が見えるように示したものであり、紐状体４０は、
一端に設けた環４１が接続部２の環に連結されるとともに環４１ａを設けた他端を、調節具３０を構成する外体１の挿入孔３（符号省略）と挿入孔４と、該外体１内に配置した内体１０（図示省略）と、該内体１０内に配置した弾性体２０（図示省略）とを貫通させることにより、該弾性体２０によって弾性的に保持される。そして調節具３０を貫通した紐状体４０の他端に設けた環４１ａと抜け止め部材５０に設けた接続環５１を連結することで環状装身具７０を形成させた。
【００３２】
図７は、図６の環状装身具７０に用いた調節具３０の外体１を、図１（ｄ）に示すハート形状とした外体１ａに交換して調節具３０ａとして用いて形成した環状装身具７０ａを示し、調節具の外体を好みの形状とした環状装身具とすることができる。
【００３３】
図８は、図６の環状装身具７０を基に紐状体４０によって形成される輪の一部切り欠いて全体の仕様を示したものであり、図９は、図７の環状装身具７０ａを基に紐状体４０によって形成される輪の一部を切り欠いて示した仕様に対して、紐状体４０を紐状体４０ａと紐状体４０ｂに２分割に切断して、紐状体４０ａの長さを２１ｃｍとして、両端に環４１と環４１ｂを設け、また、紐状体４０ｂの長さを２２ｃｍとして、両端に環４１ａと環４１ｃを設けて形成させたことを示す。
【００３４】
環状装身具７０ａを形成させるためには、紐状体４０ａは、一端に設けた環４１と調節具３０ａに設けた接続部２の環と連結、また、クラスプ６０を、連結環４２を介して他端に設けた環４１ｂと連結、
紐状体４０ｂは、環４１ａを設けた一端を調節具３０ａに貫通させた後、抜け防止部材５０に設けた接続環５１と貫通させた一端の環４１ａと連結、そして、連結プレート６１を、連結環４２ａを介して他端に設けた環４１ｃと連結、そして、クラスプ６０と連結プレート６１を連結させることによりできる。
【００３５】
装着時に環状装身具７１ａの輪の大きさを変える場合は、左手にて調節具３０ａを把持し、そして、右手にて抜け防止部材５０を把持して、抜け防止部材５０を下方向に引くことにより輪が小さくなり、調節具３０ａを起点としたＹ字状の環状装身具となる。また、右手にて調節具３０ａを把持し、左手にて紐状体４０ｂを把持して紐状体４０ｂを上方向に引くことにより輪を大きくすることができ、最大限の大きさにすることにより調節具３０ａと抜け防止部材５０を一対としたペンダント状態とすることができる。
【００３６】
図１０は、図７の環状装身具７０ａを基に紐状体４０によって形成される輪の一部を切り欠いて示した仕様に対して、調節具３０ｂと抜け止め部材５０ａの表面に複数の宝石６４を施し、紐状体４０ｂと紐状体４０ｃとに２分割に切断して、紐状体４０ｂの長さを２７ｃｍとして、両端に環４１と環４１ｂを設け、また、紐状体４０ｃの長さを２２ｃｍとして、両端に環４１ａと環４１ｃを設けて形成したことを示す。
【００３７】
環状装身具７０ｂを形成させるためには、紐状体４０ｂは、一端に設けた環４１と調節具３０ｂに設けた接続部２の環と連結、また、環４１ｂを設けた他端を体内に、弾性体を有してクラスプ６０が連結環４２を介して連結された第２調節具６２を貫通するとともに抜け防止プレート６３を、連結環４２ｃを介して他端の環４１ｂと連結されている。
紐状体４０ｃは、環４１ａを設けた一端を調節具３０ｂに貫通させた後、抜け防止部材５０ａに設けた接続環５１と貫通させた一端の環４１ａと連結、そして、連結プレート６１を、連結環４２ａを介して他端に設けた環４１ｃと連結されている。
そしてクラスプ６０と連結プレート６１を連結させることによりできる。
【００３８】
前記実施において用いた第２調節具６２の構成については、上部に開口部と、前記開口部の直径方向に直下する対向した側面に紐状体４０ｂを通す互いに対向する一対の貫通した挿入孔を有し、外周面にクラスプ６０を接続する接続部２ａとした環とを有して形成した外体１ａと、該外体１ａ内に上下移動可能に納められていると共に、一方端を密閉、他端に開口部を有し、該開口部の直径方向に直下する対向した側面に紐状体４０ｂを通す互いに対向する一対の貫通孔とを有して形成した筒状の内体１０ａと、該内体１０ａ内に納められているとともに略矩形又は円形の環状を形成し、紐状体４０ｂを通す貫通した開口部を有した環状体と、前記内体１０ａ内に納められていると共に、該内体１０ａと前記環状体が紐状体４０ｂを挟み込む方向に付勢する弾性体であるコイルスバネとからなるものである。
本発明は、第２調節具６２の構成については限定するものではなく、弾性体である弾性ゴムまたはコイルスバネを体内に有して該弾性体の影響力にて紐状体４０ｂを保持できる構成で有れば第２調節具６２とすることを可能としたものである。
【００３９】
以上、環状装身具７０ｂは、装飾性を有して、調節具３０ｂと第２調節具６２の双方にて輪の大きさを自由に変えられる操作性を向上させた環状装身具となった。
【図面の簡単な説明】
【００４０】
【図１】本発明の調節具を構成する部材図を示す。
【図２】紐状体を用いない図１の部材（ａ）（ｂ）（ｃ）を用いて構成した調節具の実施形態を示す正面図である。
【図３】右側面図を示す。
【図４】平面図を示す。
【図５】図２の右側面図に示すＡ−Ａ線拡大断面図である。
【図６】本発明の調節具とそれを用いた環状装身具の実施例を、要部を切り欠いて示す図である。
【図７】図４に示した調節具の外体を取り換えた環状装身具の実施例を、要部を切り欠いて示す図である。
【図８】本発明の環状装身具を示す図である。
【図９】図７より、紐状体によって形成される輪の途中にクラスプと連結プレートを連結して構成させた環状装身具を示す図である。
【図１０】図７より、紐状体によって形成される輪の途中にクラスプを連結した第２調節具と、抜け防止プレートと、連結プレートを連結して構成させた環状装身具を示す図である。
【符号の説明】
【００４１】
１    外体
２    接続部
３    挿入孔
４    挿入孔  
５    開口部
６    側壁
１０    内体
１１    挿通孔
１２    挿通孔
１３    開口部
１４    側壁
２０    弾性体
２１    貫通した孔
３０    調節具
４０    紐状体
４１    環
４２    連結環
５０    抜け止め部材
５１    接続環
６０    クラスプ
６１    連結プレート
６２    第２調節具
６３    抜け防止プレート
６４    宝石
７０    環状装身具  
【図１】
2007117518.tif 000003
【図２】
2007117518.tif 000004
【図３】
2007117518.tif 000005
【図４】
2007117518.tif 000006
【図５】
2007117518.tif 000007
【図６】
2007117518.tif 000008
【図７】
2007117518.tif 000009
【図８】
2007117518.tif 000010
【図９】
2007117518.tif 000011
【図１０】
2007117518.tif 000012